(57)【要約】【課題】持ち運びに便利であり、凹凸のある場所に安定した状態で設置でき、袋の口の高さを簡単に変えることのできる袋保持用スタンドを提案すること。【解決手段】落葉収集袋２を、その開口部３が上向きに開いた状態で保持するために用いる組立分解式の袋保持用スタンド１は、同一曲率半径で円弧状に湾曲し、連結すると円形枠１０になる３本の円弧枠１１〜１３を備えている。各円弧枠１１〜１３の両端は直線状端部１１ａ、１１ｂ、１２ａ、１２ｂ、１３ａ、１３ｂとなっており、これらが差し込まれた状態で、各枠連結具２１〜２３をそれらの中心軸線２１Ａ、２２Ａ、２３Ａを中心として回転させることで、各支持脚３１〜３３の開き角を変更できる。これにより、袋保持用スタンド１を凹凸のある設置面にも安定した状態で設置でき、円形枠１０の高さも変えることができる。【選択図】図３
2013227107.tif 000002
【特許請求の範囲】
【請求項１】
一端縁が開口部となっている可撓性シートからなる袋を、その開口部が上向きに開いた状態で保持するために用いる組立分解式の袋保持用スタンドであって、
少なくとも３本の支持脚と、
連結すると円形あるいは円形に類似の閉鎖形状の枠になる、支持脚と同一本数の円弧枠と、
円弧枠の端部を相互に連結して円形あるいは円形に類似の閉鎖形状の枠にするために、各支持脚の上端部に一体形成されているか、あるいは、当該上端部に着脱可能な状態で取り付けられている、支持脚と同一個数の枠連結具と、
袋の開口縁部分を円弧枠に固定するための複数個の袋固定具とを備えており、
各枠連結具は、直線状あるいは円弧状に延びている頭部と、この頭部から直交方向に延びている脚部とを備えたＴ形のものであり、
枠連結具の頭部の両端部には、円弧枠の各端部に形成した連結穴に差し込み可能な連結用突起が形成されているか、あるいは、円弧枠の各端部に形成した連結用突起を差し込み可能な連結穴が形成されており、
枠連結具の脚部からは当該脚部と同一方向に支持脚が延びており、
連結用突起は連結穴に対して、着脱可能な状態および当該連結穴の中心軸線回りに回転可能な状態で差し込み可能となっていることを特徴とする組立分解式の袋保持用スタンド。
【請求項２】
請求項１において、
前記枠連結具の頭部は、直線状に延びているパイプからなり、このパイプの両端の開口部が前記連結穴となっており、
前記円弧枠は、その両側の端から所定の長さの部分が、直線状に延びる直線状端部となっており、当該直線状端部の全部あるいはその端側の部位が前記連結用突起となっていることを特徴とする組立分解式の袋保持用スタンド。
【請求項３】
請求項２において、
前記枠連結具の脚部はパイプからなり、
前記支持脚の上端部が着脱可能な状態で脚部に差し込み可能となっていることを特徴とする組立分解式の袋保持用スタンド。
【請求項４】
一端縁が開口している可撓性シートからなる落葉収集袋と、
落葉収集袋を、その開口が上向きに開いた状態で保持する袋保持用スタンドとを備えており、
前記袋保持用スタンドは、請求項１ないし３のうちのいずれかの項に記載の袋保持用スタンドであることを特徴とする落葉収集器具。
【請求項５】
請求項４において、
落葉収集袋および袋保持用スタンドを収納するための手提げ用バッグを備えていることを特徴とする落葉収集器具。
【発明の詳細な説明】
【技術分野】
【０００１】
本発明は、可撓性シートからなるごみ袋、落葉収集袋などの袋を、その開口部を上向きに開いた状態で保持するために用いる組立分解式の袋保持用スタンド、および当該袋保持用スタンドを備えた落葉収集器具に関する。
【背景技術】
【０００２】
落葉樹の多い地域では晩秋の落葉収集が大変な作業である。落葉は、プラスチック製の剛性の樽や、ポリエチレンシートからなる大きな袋等に集められる。乾燥しているとはいえ、落葉が一杯に詰め込まれた樽は重く持ち運びが大変である。袋は落葉収集場所において口を広げて簡単に落葉を詰め込むことができ便利であるが、袋の口が塞がってしまう、袋が倒れてしまう、袋が風で飛ばされてしまう等、決して実用的とはいえない。
【０００３】
ここで、プラスチック製などのごみ袋を口が開いた状態で保持可能な袋保持用スタンドが各種提案されており、このようなスタンドを用いて袋を口が開いた状態で保持すれば、落葉の収集作業を効率良く行うことができる。
【０００４】
特許文献１には左右に開閉するごみ袋用スタンドが提案されている。特許文献２にはごみ袋の口を円形に開いた状態で当該ごみ袋を垂直に保持可能なごみ袋保持用スタンドが提案されている。特許文献３にはごみ袋の口を、Ｃ形断面の円形の部材を用いて、円形の枠体との間に挟み込んで固定することのできるごみ袋保持スタンドが提案されている。特許文献４には、口を上に向けて円形に開いた状態で袋を保持できる折り畳み可能な脚を備えた支持具が提案されている。
【先行技術文献】
【特許文献】
【０００５】
【特許文献１】特開２００１−１３０７０４号公報
【特許文献２】特開２００２−１５４６０２号公報
【特許文献３】特開２００５−１５１６１号公報
【特許文献４】特開２００１−６３８０２号公報
【発明の概要】
【発明が解決しようとする課題】
【０００６】
しかしながら、このような従来において提案されているスタンドは次のような問題点がある。まず、特許文献１に記載されている一般的な左右開閉式のスタンドは、袋の口を広く開けておくことができないので極めて不便である。これに対して、特許文献２〜４に記載されているスタンドは袋の口を円形に広げた状態で保持できる。しかしながら、持ち運びに不便である。特許文献４に開示のスタンドは脚を折り畳むことができるが、嵩張るのでやはり持ち運びに不便である。
【０００７】
また、落葉収集作業においては、平坦でない地面等にスタンドを置く必要があるが、従来におけるスタンドは平坦な場所に置くことを前提としており、凹凸のある場所において安定した状態で簡単に設置することができない。
【０００８】
さらに、大きな袋の場合には、最初は口を低い位置にしておき、詰め込まれた落葉の量が増えると落葉を袋に押し込み、口を高い位置に上げて、更に多くの落葉を詰め込むようにしている。最初から袋の口を高い位置にしておくと、人が接した場合、風が吹いた場合などにおいて倒れやすいので、落葉を詰めてある程度重くなるまでは口を低い位置のままにしておくことが望ましい。特許文献４に開示のスタンドでは３本の脚を折り曲げて袋の口の高さを変えることができるが、各脚を固定しているネジを緩めて折り曲げ、折り曲げた状態でネジを締め付ける必要がある。このような作業を、落葉収集作業の途中で行うことは面倒である。
【０００９】
本発明の課題は、このような点に鑑み、持ち運びに便利であり、凹凸のある場所においても安定した状態で設置でき、しかも、袋の口の高さを簡単に変えることのできる袋保持用スタンドを提案することにある。また、当該袋保持用スタンドを備えた持ち運びに便利な落葉回収器具を提案することにある。
【課題を解決するための手段】
【００１０】
上記の課題を解決するために、本発明は、一端縁が開口部となっている可撓性シートからなる袋を、その開口部が上向きに開いた状態で保持するために用いる組立分解式の袋保持用スタンドを、少なくとも３本の支持脚と、連結すると円形あるいは円形に類似する閉鎖形状の枠になる少なくとも３本の円弧枠と、円弧枠の端部を相互に連結して円形あるいは円形に類似の閉鎖形状の枠を構成するために、各支持脚の上端部に一体形成されているか、あるいは、当該上端部に着脱可能な状態で取り付けられている少なくとも３個の枠連結具と、袋の開口縁部分を円弧枠に固定するための複数個の袋固定具とを備えた構成としている。
【００１１】
また、各枠連結具は、直線状あるいは円弧状に延びている頭部と、この頭部から直交方向に延びている脚部とを備えたＴ形のものとなっている。枠連結具の頭部の両端部には、円弧枠の各端部に形成した連結穴に差し込み可能な連結用突起が形成されているか、あるいは、円弧枠の各端部に形成した連結用突起を差し込み可能な連結穴が形成されている。枠連結具の脚部からは当該脚部と同一方向に支持脚が延びており、連結用突起は連結穴に対して、着脱可能な状態および当該連結穴の中心線回りに回転可能な状態で差し込み可能となっている。
【００１２】
この構成の袋保持用スタンドを設置する場合には、その構成部品を設置場所まで持ち出し、その場において組み立てることができる。円弧枠と枠連結具を、その一方に形成した連結穴に他方に形成した連結用突起を差し込むことで連結して円形枠を形成できる。
【００１３】
また、連結用突起は連結穴に差し込まれた状態において連結穴の中心線回りに回転させることができ、これにより、枠連結具が一体形成されている支持脚、あるいは、枠連結具に取り付けられている支持脚の開き角度を変えることができる。よって、凹凸のある設置面において、凹凸状態に応じて各支持脚の開き角度を変えることで、それらの上端において枠連結具によって円形に連結されている円弧枠を水平に保持でき、ここに取り付けられる袋の開口部を上向きに開いた状態に保持できる。
【００１４】
さらには、各支持脚の開き角度を変えることで、円形に連結されている円弧枠の高さを簡単に変えることができる。よって、落葉収集作業等の途中において、ある程度の量の落葉が袋に詰め込まれた後に、各支持脚の開き角度を小さくする（垂直に近い角度に変える）ことで、袋の開口部を高い位置に簡単に変えることができる。
【００１５】
ここで、本発明の落葉収集器具は、上記構成の袋保持用スタンドと、落葉収集袋と、落葉収集袋および袋保持用スタンドを収納するための手提げ用バッグを備えていることを特徴としている。この構成を採用することで、落葉収集器具を簡単に作業場所まで持ち出すことができ、作業後における袋保持用スタンドの分解片付け作業も簡単になる。
【発明の効果】
【００１６】
本発明の袋保持用スタンドは、各支持脚の開き角度を個別に簡単に変えることができる。よって、凹凸のある設置面に安定した状態で設置することができ、また、保持している袋の口の高さ位置を変えることも簡単に行うことができる。したがって、本発明の袋保持用スタンドは落葉収集作業において落葉収集袋を保持するために用いるのに適している。
【図面の簡単な説明】
【００１７】
【図１】本発明の実施の形態に係る袋保持用スタンドによって落葉収集袋を保持した状態を示す説明図である。
【図２】（ａ）は図１の袋保持用スタンドおよび落葉収集袋を示す分解斜視図であり、（ｂ）は組み立てたスタンド本体を示す説明図である。
【図３】（ａ）は図１の袋保持用スタンドの円弧枠および枠連結具を示す説明図であり、（ｂ）は枠連結具による支持脚の開き角調整機能を示す説明図であり、（ｃ）および（ｄ）は開き角を調整することによる作用効果を示す説明図である。
【図４】図１の袋保持用スタンドを備えた落葉収集器具を用いた落葉収集作業手順を示す説明図である。
【発明を実施するための形態】
【００１８】
図１に示すように、本発明の実施の形態に係る袋保持用スタンド１は、ポリエチレン製などの可撓性シートからなる落葉収集袋２を、その開口部３を上向きで円形に広げた状態で垂直に保持するために用いられる。例えば、箕７を用いて落葉を集め、落葉収集場所に置かれた袋保持用スタンド１に保持されている落葉収集袋２に、収集した落葉４を詰め込む。落葉収集袋２が収集した落葉で一杯になると、これを袋保持用スタンド１から取り外す。この後は、別の落葉収集袋を取り付けるか、あるいは、落葉を詰めた落葉収集袋２を所定の廃棄場所まで運び、そこで落葉を廃棄した後に再び当該落葉収集袋２を取り付けて落葉を回収する。
【００１９】
図２は図１の落葉収集袋２が取り付けられている袋保持用スタンド１の分解斜視図である。図２（ａ）に示すように、袋保持用スタンド１は円形パイプ材からなる３本の円弧枠１１、１２、１３を備えており、これらを、３個のＴ形の枠連結具２１、２２、２３を用いて連結することで、図２（ｂ）に示すように円形枠１０を組み立て可能となっている。
【００２０】
また、各枠連結具２１、２２、２３のそれぞれに、円形パイプ材からなる３本の直線状の支持脚３１、３２、３３の上端部を差し込み固定することで、図２（ｂ）に示すように、円形枠１０が３本の支持脚３１〜３３によって支持された構成のスタンド本体１ａを組み立て可能となっている。さらに、袋保持用スタンド１はＣ形断面形状をした板バネからなる３個のクリップ４１、４２、４３を備えている。落葉収集袋２の開口部３の開口縁部分３ａを円形枠１０に被せ、その上から、クリップ４１〜４３を円形枠１０に嵌め込むことで、落葉収集袋２の開口縁部分３ａが円形枠１０に固定されて、円形に開いた状態に保持される。
【００２１】
図３（ａ）は円形枠１０を示す模式図であり、図３（ｂ）〜（ｄ）は支持脚３１〜３３の開き角の調整機能を示す説明図である。これらの図を参照して詳細に説明すると、各枠連結具２１〜２３は、円筒断面の一定長さの直線状の頭部２１ａ、２２ａ、２３ａと、頭部２１ａ〜２３ａにおける長さの方向の中間の部位から直交する方向に延びている一定長さの直線状の脚部２１ｂ、２２ｂ、２３ｂとを備えたＴ形の連結具である。各枠連結具２１〜２３の両側の開口端２１ｃ、２１ｄ、２２ｃ、２２ｄ、２３ｃ、２３ｄは、各円弧枠１１〜１３の両側の端部を差し込み可能な連結穴として機能する。また、各脚部２１ｂ〜２３ｂの先端の開口端２１ｅ、２２ｅ、２３ｅは、各支持脚３１〜３３の上端部３１ａ〜３３ａ（連結用突起）を差し込み可能な連結穴として機能する。
【００２２】
円形枠１０を構成している各円弧枠１１〜１３は、全体として１２０度の角度を張る同一曲率半径の円弧形状のものであり、それらの両側の端部には内側に向かって直線状に延びている一定長さの直線状端部１１ａ、１１ｂ、１２ａ、１２ｂ、１３ａ、１３ｂが形成されている。これらの直線状端部１１ａ〜１３ｂは、各枠連結具２１〜２３における両側の開口端２１ｃ、２１ｄ、２２ｃ、２２ｄ、２３ｃ、２３ｄ（連結穴）に差し込み可能な連結用突起として機能する。
【００２３】
ここで、各円弧枠１１〜１３と各枠連結具２１〜２３との間の連結部分は、人手によって、所定以上の力で枠連結具２１〜２３の中心軸線２１Ａ〜２３Ａの方向に摺動可能（すなわち、着脱可能）であると共に、中心軸線２１Ａ〜２３Ａを中心として所定以上の力で相対回転させることが可能となっている。このような連結状態を形成できるように、双方の素材、表面性状、寸法等が設定されている。
【００２４】
したがって、図３（ｂ）に示すように、３本の円弧枠１１〜１３を連結して円形枠１０を構成した後に、支持脚３１〜３３がそれぞれ連結されている枠連結具２１〜２３のそれぞれを、それらの中心軸線２１Ａ〜２３Ａを中心として回転させることができる。これにより、各支持脚３１〜３３の開き角θ（円形枠１０が位置する平面に垂直な垂線１０Ａとのなす角度）を変更することができる。
【００２５】
例えば、図３（ｃ）に示すように、２本の支持脚３１、３２の開き角に比べて支持脚３３の開き角を大きくして、凹凸のある設置面Ｇに対して、円形枠１０を常に水平になるように、袋保持用スタンド１を設置することができる。これにより、袋保持用スタンド１に取り付けた落葉収集袋２の開口部３は常に真上を向く状態に保持できる。また、図３（ｄ）に示すように、３本の支持脚３１〜３３の開き角を大きくすることで円形枠１０を設置面Ｇから低い高さの位置とすることができ、これらの支持脚３１〜３３の開き角を小さくすることで円形枠１０を高い位置に上げることができる。
【００２６】
支持脚３１〜３３の開き角は例えば３段階に変更できるようにしておくことができる。例えば、枠連結具２１〜２３の側の内周面において、円周方向の３箇所に溝を形成し、各円弧枠１１〜１３の両端の外周面にノッチを形成しておけば、ノッチが各溝に嵌る位置に支持脚３１〜３３を回転させることで開き角を変更できる。
【００２７】
次に、図４を参照して袋保持用スタンド１を用いた落葉収集作業手順の一例を説明する。まず、袋保持用スタンド１および落葉収集袋２が収納された手提げバッグ５を、落葉収集器具６として用意しておく（手順ＳＴ１）。これを落葉収集場所まで運び、手提げバッグ５から袋保持用スタンド１の部品を取り出して、そのスタンド本体１ａを組み立てる（手順ＳＴ２）。先に述べたように凹凸等がある設置面の場合には各支持脚３１〜３３の開き角を調整して円形枠１０が水平となるように設置する。
【００２８】
次に、落葉収集袋２の開口部３を開き、円形枠１０の上側から落葉収集袋２を入れる。落葉収集袋２の開口部３の開口縁部分３ａを円形枠１０に被せ、この状態で上側からクリップ４１〜４３で開口縁部分３ａを円形枠１０に固定する（手順ＳＴ３）。
【００２９】
このようにして袋保持用スタンド１に保持された落葉収集袋２に回収した落葉４を詰める（手順ＳＴ４）。例えば、箕７あるいは、ちりとりを用いて落葉を回収し、回収した落葉を落葉収集袋２に詰める。最初の段階では、各支持脚３１〜３３の開き角を大きくして落葉収集袋２の開口部３を低い高さ位置にしておき、落葉４をある程度の量詰めた後は、各支持脚３１〜３３の開き角を小さくすることで開口部３を高い位置に持ち上げて落葉収集袋２を上方に広げて、落葉４を更に詰め込むことができる。
【００３０】
落葉収集袋２が落葉４で一杯になった後は、袋保持用スタンド１から落葉収集袋２を外し（手順ＳＴ５）、その口を結んで所定の回収場所に落葉収集袋２を運び込む（手順ＳＴ６）。収集した落葉４を落葉収集袋２から回収場所に開け、空になった落葉収集袋２を繰り返し使用する。落葉収集袋２に破れなどが出来た場合には新しい落葉収集袋を用いる。なお、落葉で一杯になった落葉収集袋２の口を結び、袋毎、所定の回収場所に廃棄し、あるいは、回収車に積み込むことも可能である。いずれの場合においても、落葉収集袋２のみが消耗品であるので、費用が掛からないという利点がある。
【００３１】
（その他の実施の形態）
上記の例では、両端に直線状端部を備えた３本の円弧枠１１〜１３を使用している。より簡易な構成の場合には、直線状の端部を省略し、枠連結具２１〜２３の頭部２１ａ〜２３ａを円弧状頭部とすることも可能である。この場合には、支持脚３１〜３３の開き角を調整すると、各円弧枠１１〜１３が同一平面上から相互に上下にずれた状態になる。開き角の調整幅が少なくて良い場合には、この構成を採用することができる。
【００３２】
また、上記の例では３本の円弧枠、３本の支持脚、３個の枠連結具、３個のクリップを使用している。円弧枠を４本以上とし、それに応じて支持脚および枠連結具の数を増やすことも可能である。クリップは落葉収集袋を袋保持用スタンドに固定するためのものであるので、ワンタッチで枠に固定できれば、その個数に制限はなく、また、板バネ以外のものを使用することも可能である。例えば、洗濯バサミと同様な構造のバネ付勢式のものを用いることも可能である。
【００３３】
さらに、円弧枠と枠連結具の間の連結構造としては、円弧枠の側に連結穴を形成し、枠連結具の側に連結用突起を形成しておいてもよい。また、枠連結具を各支持脚の上端部に一体に形成しておくことも可能である。
【００３４】
次に、円弧枠の代わりに、多角形の枠部材を使用することも可能であり、落葉収集袋の口が略円形に近い形状に開いた状態にできるものであればよい。
【００３５】
また、袋保持用スタンドの各構成部品は、プラスチック製品、金属製品、あるいは、プラスチック製部品と金属製部品の組み合わせなどとすることができる。
【００３６】
次に、上記の例は落葉収集袋を保持する例であるが、本発明による袋保持用スタンドは、落葉収集袋以外の袋を保持するために使用できることは勿論である。
【符号の説明】
【００３７】
１    袋保持用スタンド
１ａ  スタンド本体
２    落葉収集袋
３    開口部
３ａ  開口縁部分
４    落葉
５    手提げバッグ
６    落葉収集器具
７    箕
１０  円形枠
１１〜１３  円弧枠
１１ａ、１１ｂ、１２ａ、１２ｂ、１３ａ、１３ｂ  直線状端部
２１〜２３  枠連結具
２１ａ、２２ａ、２３ａ  頭部
２１ｂ、２２ｂ、２３ｂ  脚部
２１ｃ、２１ｄ、２２ｃ、２２ｄ、２３ｃ、２３ｄ  開口端
２１ｅ、２２ｅ、２３ｅ  開口端
２１Ａ、２２Ａ、２３Ａ  中心軸線
３１〜３３  支持脚
３１ａ、３２ａ、３３ａ  上端部
４１〜４３  クリップ
θ    開き角
Ｇ    設置面
【図２】
2013227107.tif 000003
【図３】
2013227107.tif 000004
【図１】
2013227107.tif 000005
【図４】
2013227107.tif 000006